(57)【特許請求の範囲】
【請求項１】
ファクシミリ通信手順に基づいて相手先のファクシミリ装置とファクシミリ通信する際に、複数の非標準機能識別信号（ＮＳＦ信号）を送出するファクシミリ装置であって、相手先情報に応じたＮＳＦ信号の送出順序と送出数を短縮ダイヤルまたはワンタッチキーに対応させて設定したテーブルと、ファクシミリ通信時、相手先情報を取得し、上記テーブルの当該相手先情報の設定に基づいて前記ＮＳＦ信号の送出順序及び送出数を変更する手段とを設けたことを特徴とするファクシミリ装置。
【発明の詳細な説明】
【０００１】
【発明の属する技術分野】
本発明は、複数の非標準機能識別信号（ＮＳＦ信号）を送出する際の通信エラ−の発生を防止できる構成としたファクシミリ装置に関するものである。
【０００２】
【従来の技術】
最近の通信技術やコンピュ−タ技術の進展に伴い、種々の形態の通信ネットワ−クが提案されている。その一例として、ユ−ザ構内通信網（以下、ＬＡＮと略記する。）に、クライアントパ−ソナルコンピュ−タ（以下、クライアントＰＣと略記する。）、ファクシミリサ−バ装置（以下、ＦＡＸサ−バと略記する。）、ネットワ−クファクシミリ装置（以下、ネットワ−クＦＡＸと略記する。）、プリンタ等のオフィス機器を接続して通信ネットワ−クを形成する場合がある。
【０００３】
このような通信ネットワ−クを多数設け、各通信ネットワ−クを公衆電話網（ＰＳＴＮ；Ｐｕｂｌｉｃ  Ｓｕｂｓｃｒｉｂｅｒ  Ｔｅｌｅｐｈｏｎｅ  Ｎｅｔｗｏｒｋ）で結合し、相互に情報の伝送を行なう。
【０００４】
通信ネットワ−ク内には前記のように種々のオフィス機器が配置されるが、各オフィス機器の製造元が相違する場合がある。このような場合には、各社が独自の仕様に基づいてオフィス機器の設計、製造を行なうので、共通の仕様では相互に情報の伝送ができなくなる恐れがある。
【０００５】
そこで、サリュテ−ション・コンソ−シアムが設立されている。この団体は、異なる種類のオフィス機器について共通の仕様を適用することにより、団体に加入している製造元が製造しているオフィス機器については、製造元が相違している場合でも情報の相互運用を可能とするものである。
【０００６】
ところで、同一の製造元に係るファクシミリ装置間でファクシミリ通信する場合のように、ＩＴＵ−Ｔのファクシミリ通信手順に関するＴシリ−ズ勧告３０の範囲外である特定利用を示すときには、ファクシミリ装置から相手先のファクシミリ装置に対して、非標準機能識別信号（ＮＳＦ）を送信している（第１のＮＳＦ）。また、前記サリュテ−ション機能を有するファクシミリ装置から他のファクシミリ装置へのファクシミリ通信の場合にも、当該サリュテ−ションシステム内で適用される非標準機能識別信号（ＮＳＦ）が送信される（第２のＮＳＦ）。
【０００７】
このように、サリュテ−ション機能を有するファクシミリ装置（第１のファクシミリ装置）においては、前記第１のＮＳＦ信号と第２のＮＳＦ信号の複数のＮＳＦ信号が定義されている。しかしながら、サリュテ−ション機能を有していないファクシミリ装置（第２のファクシミリ装置）においては、第２のＮＳＦ信号は定義されていない。
【０００８】
【発明が解決しようとする課題】
このため、前記第１のファクシミリ装置から第２のファクシミリ装置に対して、複数のＮＳＦ信号が送出されると、第２のファクシミリ装置においては、最初または最後の単一のＮＳＦ信号しか検出することができず、通信エラ−が発生することがあるという問題があった。
【０００９】
本発明は上記のような問題に鑑み、複数の非標準機能識別信号（ＮＳＦ信号）を送出する際の通信エラ−の発生を防止できる構成としたファクシミリ装置の提供を目的とする。
【００１０】
【課題を解決するための手段】
本発明の上記目的は、請求項１に係る発明において、ファクシミリ装置を、ファクシミリ通信手順に基づいて相手先のファクシミリ装置とファクシミリ通信する際に、複数の非標準機能識別信号（ＮＳＦ信号）を送出するファクシミリ装置であって、相手先情報に応じたＮＳＦ信号の送出順序と送出数を短縮ダイヤルまたはワンタッチキーに対応させて設定したテーブルと、ファクシミリ通信時、相手先情報を取得し、上記テーブルの当該相手先情報の設定に基づいて前記ＮＳＦ信号の送出順序及び送出数を変更する手段とを設けた構成とすることによって達成される。
【００１５】
上記請求項１に係る発明によれば、ファクシミリ通信時、相手先情報を取得し、テーブルの当該相手先情報の設定に基づいてＮＳＦ信号の送出順序及び送出数を変更する手段を設けている。このため、相手先に複数のＮＳＦ信号が定義されていないような場合であっても、相手先がＮＳＦ信号を検出できるようにＮＳＦ信号を送出して、通信エラーの発生を防止することができるとともに、通信宛先毎に適切なＮＳＦ信号を送出することができる。
【００１７】
また、請求項１に係る発明においては、相手先情報に応じたＮＳＦ信号の送出順序及び送出数を短縮ダイヤルまたはワンタッチキーに対応させて設定するテーブルを設けている。このため、ファクシミリ通信を行なう毎に、ＮＳＦ信号の送出形態を設定する操作が不要となり、相手先に応じたＮＳＦ信号の送出形態の設定が、短縮ダイヤルまたはワンタッチキーの操作により簡単に行なえる。
【００２０】
【発明の実施の形態】
以下、本発明に係るファクシミリサ−バ装置の実施の形態について図により説明する。図４は、本発明のファクシミリ装置が使用される通信ネットワ−クの一形態を示す概略のブロック図である。図４において、１は通信ネットワ−クで、クライアントＰＣ２、ネットワ−クＦＡＸ３、プリンタ４、ＦＡＸサ−バ５をＬＡＮ６に接続している。通信ネットワ−ク１内の各機器は、前記サリュテ−ション機能を有している。
【００２１】
デ−タ処理装置であるクライアントＰＣ２は、図４では１個所だけに設置されているが、このようなクライアントデ−タ処理装置はＬＡＮ６に多数接続することができる。通信ネットワ−ク１は、例えば工場、事務所、店舗等の多数のクライアントデ−タ処理装置が設置されるところに構築される。
【００２２】
７はＰＳＴＮ、８はファクシミリ装置（以下、ＦＡＸと略記する）である。通信ネットワ−ク１に設置されたＦＡＸサ−バ５と、ＦＡＸ８はＰＳＴＮ７で接続されて、相互にファクシミリ通信を行う。なお、図４の例ではＦＡＸ８を１個所に設置しているが、任意の台数のＦＡＸを設置してＰＳＴＮ７に接続することができる。
【００２３】
１１は他の通信ネットワ−クである。通信ネットワ−ク１１も通信ネットワ−ク１と同様に、クライアントＰＣ１２、ネットワ−クＦＡＸ１３、プリンタ１４、ＦＡＸサ−バ１５をＬＡＮ１６に接続している。通信ネットワ−ク１１内の各機器も、前記サリュテ−ション機能を有している。
【００２４】
通信ネットワ−ク１と通信ネットワ−ク１１とをＰＳＴＮ７で接続することにより、それぞれの通信ネットワ−クに設けたネットワ−クＦＡＸやＦＡＸサ−バ間でファクシミリ通信を行なうことができる。
【００２５】
図１は、ファクシミリ装置間でファクシミリ通信をする際の、本発明による通信プロトコルの一例をシ−ケンスで示す説明図である。以下の説明では、「発呼側のファクシミリ装置」、「被呼側のファクシミリ装置」を略称して、単に「発呼側」、「被呼側」と表現している。
【００２６】
（ａ）で発呼側から被呼側にダイヤル後呼出音（ＣＮＧ）を送信する。（ｂ）で、被呼側が着信信号（ＣＩ）に応答して回線の直流回路を閉じた後、ＣＮＧに応答し、被呼側から発呼側に被呼端末識別信号（ＣＥＤ）を送信する。次に（ｃ）で被呼側から発呼側に、一回目の非標準機能識別信号（ＮＳＦ  Ａ）を送信する。続いて（ｄ）、（ｅ）で、二回目、三回目の非標準機能識別信号（ＮＳＦ  Ｂ）、（ＮＳＦ  Ａ）をそれぞれ送信する。
【００２７】
被呼側は、サリュテ−ション機能を有しており、前記したように複数のＮＳＦ信号が定義されている。このため、ＣＮＧの着信に応じて複数のＮＳＦ信号を送信することができるが、本発明においては、このＮＳＦ信号の送出形態、すなわち、ＮＳＦ信号の送出順序と送出数を任意に設定できる構成としている。
【００２８】
発呼側がサリュテ−ション機能を有していない場合には、発呼側によっては被呼側から複数のＮＳＦ信号が送出されると、最初または最後の単一のＮＳＦ信号しか検出することができない場合がある。このような場合にも、発呼側がＮＳＦ信号を検出できるように送出順序と送出数を選定する。
【００２９】
この例では、発呼側がサリュテ−ション機能を有しているかどうかを被呼側では認識していないので、二回目の非標準機能識別信号（ＮＳＦ  Ｂ）をサリュテ−ションで定義された信号としており、一回目と三回目（最初と最後）の非標準機能識別信号（ＮＳＦ  Ａ）のいずれかを発呼側で検出することができるようにしている。
【００３０】
（ｆ）で被呼側から発呼側に、ファクシミリ装置の能力に関するデジタル識別信号（ＤＩＳ）を送信する。（ｇ）で発呼側から被呼側に対して、デジタル命令信号（ＤＣＳ）を送信し、（ｈ）でトレ−ニングとトレ−ニングチェック（ＴＣＦ）を開始する。次に（ｉ）で被呼側から発呼側に受信準備確認信号（ＣＦＲ）を送信する。（ｊ）で発呼側から被呼側に対して、トレ−ニングとＦＡＸメッセ−ジを送信する。最後に（ｎ）で発呼側からは切断命令信号（ＤＣＮ）を被呼側に送信して通信を終了する。
【００３１】
図２は、本発明による通信プロトコルの他の例をシ−ケンスで示す説明図である。（Ｄａ）で発呼側から被呼側に呼出音（ＣＮＧ）を送信すると、（Ｄｂ）で、被呼側が着信に応答して回線の直流回路を閉じた後、ＣＮＧに応答して被呼側から発呼側に被呼端末識別信号（ＣＥＤ）を送信する。次に（Ｄｃ）で被呼側から発呼側に、一回目の非標準機能識別信号（ＮＳＦ  Ａ）を送信する。
【００３２】
（Ｄｄ）で被呼側から発呼側に、ファクシミリ装置の能力に関するデジタル識別信号（ＤＩＳ）を送信する。（Ｄｅ）で発呼側から被呼側に発信元情報（ＴＳＩ）、非標準機能設定信号（ＮＳＳ）を送信する。次に（Ｄｆ）で発呼側から被呼側に対して、デジタル命令信号（ＤＣＳ）を送信し、（Ｄｇ）で発呼側から被呼側に対して、トレ−ニングとトレ−ニングチェック（ＴＣＦ）を開始する。
【００３３】
図２の例では、前記のように（Ｄｅ）で発呼側から被呼側に発信元情報（ＴＳＩ）、非標準機能設定信号（ＮＳＳ）を送信している。このため、被呼側では発信元情報に基づいてステップＳａで示すように相手先を確認できる。次にステップＳｂでＮＳＦ信号の変更を要するかどうかを判定する。
【００３４】
この判定結果がＮｏであれば、（Ｄｍ）で被呼側から発呼側に受信準備確認信号（ＣＦＲ）を送信する。次に（Ｄｎ）で発呼側から被呼側に対して、トレ−ニングとＦＡＸメッセ−ジを送信する。最後に（Ｄｘ）で発呼側からは切断命令信号（ＤＣＮ）を被呼側に送信して通信を終了する。
【００３５】
前記ステップＳｂの判定結果がＹｅｓであれば、発呼側は複数のＮＳＦ信号に対応しているものと判断されるので、（Ｄｈ）で被呼側から発呼側に、二回目の非標準機能識別信号（ＮＳＦ  Ｂ）を送信する。次に（Ｄｉ）でファクシミリ装置の能力に関するデジタル識別信号（ＤＩＳ）を送信する。
【００３６】
続いて、（Ｄｊ）で発呼側から被呼側に発信元情報（ＴＳＩ）、非標準機能設定信号（ＮＳＳ）を送信する。次に（Ｄｋ）で発呼側から被呼側に対して、デジタル命令信号（ＤＣＳ）を送信し、（Ｄｌ）で発呼側から被呼側に対して、トレ−ニングとトレ−ニングチェック（ＴＣＦ）を開始する。以下、前記のように（Ｄｍ）〜（Ｄｘ）の処理が実施される。
【００３７】
このように、図２の例では発信元情報（ＴＳＩ）、非標準機能設定信号（ＮＳＳ）のような相手先情報に基づいて、相手先のファクシミリ装置を識別する。その識別結果に応じてＮＳＦ信号の送出形態（送出順序と送出数）を変更するものである。このため、通信宛先毎に適切なＮＳＦ信号を送出することができる。
【００３８】
図３は、ＮＳＦ信号の送出順序と送出数を設定するテ−ブルの例の説明図である。図３（ａ）は、相手先毎にＮＳＦ信号の送出順序と送出数を設定するテ−ブルの例である。（Ｘａ）の欄には、短縮ダイヤル（Ｓ００１、Ｓ００２）、またはワンタッチキ−（Ａ）が設定される。（Ｘｂ）の欄には、相手先のＦＡＸ番号が設定される。（Ｘｃ）の欄には、相手先名称が設定される。また、（Ｘｄ）の欄には、ＮＳＦ信号の送出順序と送出数が設定される。
【００３９】
図３（ａ）において、例えば横欄の（Ｙａ）については、ＦＡＸ番号が０７５−１２３−４５６７の〇〇会社から着信があったときには、自動的に（Ａ）、（Ｂ）、（Ａ）の順序で三組のＮＳＦ信号が送出される。
【００４０】
また、（Ｙｂ）については、ＮＳＦ信号の送出順序が（Ａ）で送出数は１であり、（Ｙｃ）については、ＮＳＦ信号の送出順序が（Ｂ）、（Ａ）で送出数は２ある。図３（ｂ）のデフォルトでは、ＮＳＦ信号の送出順序を（Ｂ）、（Ａ）、送出数を２に設定している。
【００４１】
また、図３（ａ）に示されているように、テ−ブルにＦＡＸ番号、相手先名称、ＮＳＦ信号の送出順序と送出数を短縮ダイヤルまたはワンタッチキ−に対応させて設定している。このため、相手先に応じたＮＳＦ信号の送出順序と送出数の設定が、短縮ダイヤルまたはワンタッチキ−の操作により簡単に行なえる。
【００４２】
図５は、ファクシミリ装置に設ける制御装置２０の一例を示す概略のブロック図である。図５において、２１は各種信号やデ−タを処理するための中央処理装置（以下、ＭＰＵと略記する）、２２はファクシミリ装置の各種動作に必要なデ−タやプログラム格納されるＲＯＭ、２３は管理デ−タ等が格納されるＲＡＭである。また、図３で説明したＮＳＦ信号の送出順序を設定したテ−ブルが格納されている。
【００４３】
２４は受信したファクシミリデ−タを記録紙に出力するプリンタ、２５は原稿を読み取り、白黒２値のイメ−ジデ−タであるファクシミリデ−タを出力する読取部、２６はキ−ボ−ドやマウス等からなる操作部である。ファクシミリ装置は、ネットワ−クインタ−フェイス（Ｉ／Ｆ）２７を介してＬＡＮ６に接続される。ファクシミリ装置は、サ−ビス総合デジタル網（ＩＳＤＮ）のインタ−フェイス（Ｉ／Ｆ）２８、デジタル回線終端装置（ＤＳＵ）２９を介してＩＳＤＮに接続される。また、回線制御部（ＮＣＵ）３０を介してＰＳＴＮに接続される。
【００４４】
３１はＰＳＴＮを介して相手先のファクシミリ装置との間で送受信されるファクシミリデ−タを変調．復調するモデムであり、モデム３１とＮＣＵ３０とはアナログ信号線３１ａで接続される。
【００４５】
符号・復号部３２は、送信するファクシミリデ−タを符号化し、受信したファクシミリデ−タを復号化する。図形文字発生部３３は、文字コ−ドデ−タをイメ−ジデ−タに変換する。３４は陰極線管（ＣＲＴ）や液晶表示器（ＬＣＤ）を用いた表示部、３５はファクシミリデ−タに日時を記入するために用いる時計部、３６は通信管理記録とファクシミリデ−タを記憶するハ−ドディスク（ＨＤ）、３７は内部バスである。なお、記憶容量をそれほど必要としない場合には、ハ−ドディスク（ＨＤ）に代えて画像メモリを用いる。
【００４６】
このように、本発明においては複数のＮＳＦ信号が定義されているファクシミリ装置において、ＮＳＦ信号の送出形態を任意に設定できる構成としている。このＮＳＦ信号の送出形態は、例えばＮＳＦ信号の送出順序と送出数であり、ファクシミリ装置の処理に応じてＮＳＦ信号の送出順序と送出数を適宜設定することができる。
【００４７】
本発明は、図４に示されたような通信ネットワ−クに接続されたＦＡＸサ−バやネットワ−クＦＡＸ間のファクシミリ通信に限定されるものではない。ＰＳＴＮに接続されるファクシミリ装置間のファクシミリ通信においても適用することができる。
【００４８】
【発明の効果】
以上詳述したように上記請求項１に係る発明によれば、ファクシミリ通信時、相手先情報を取得し、テーブルの当該相手先情報の設定に基づいてＮＳＦ信号の送出順序及び送出数を変更する手段を設けている。このため、相手先に複数のＮＳＦ信号が定義されていないような場合であっても、相手先がＮＳＦ信号を検出できるようにＮＳＦ信号を送出して、通信エラーの発生を防止することができるとともに、通信宛先毎に適切なＮＳＦ信号を送出することができる。
【００５０】
また、請求項１に係る発明においては、相手先情報に応じたＮＳＦ信号の送出順序及び送出数を短縮ダイヤルまたはワンタッチキーに対応させて設定するテーブルを設けている。このため、ファクシミリ通信を行なう毎に、ＮＳＦ信号の送出形態を設定する操作が不要となり、相手先に応じたＮＳＦ信号の送出形態の設定が、短縮ダイヤルまたはワンタッチキーの操作により簡単に行なえる。
【図面の簡単な説明】
【図１】本発明の実施の形態に係るファクシミリ装置からＮＳＦ信号を送出する際の通信プロトコルをシ−ケンスで示す説明図である。
【図２】ＮＳＦ信号を送出する際の別の通信プロトコルをシ−ケンスで示す説明図である。
【図３】ＮＳＦ信号の送出順序を記憶するテ−ブルの説明図である。
【図４】ファクシミリ装置を通信ネットワ−クに接続する例を示すブロック図である。
【図５】ファクシミリ装置の制御装置を示すブロック図である。
【符号の説明】
１    通信ネットワ−ク
２    クライアントＰＣ
３    ネットワ−クＦＡＸ
４    プリンタ
５    ＦＡＸサ−バ
６    ＬＡＮ
７    ＰＳＴＮ
８    ＦＡＸ
２０    制御装置
２１    中央処理装置（ＭＰＵ）
２３    ＲＡＭ
２６    操作部
【図１】
0004158316.tif 000002
【図２】
0004158316.tif 000003
【図３】
0004158316.tif 000004
【図４】
0004158316.tif 000005
【図５】
0004158316.tif 000006